(57)【特許請求の範囲】
【請求項１】
Ｘ線を画像信号に変換するＸ線センサと、
Ｘ線照射面の反対側の面に形成され、前記Ｘ線センサに電力を供給するバッテリを着脱自在に保持するバッテリホルダと、
前記バッテリが前記バッテリホルダに保持された状態でロックするロック機構と、
前記ロック機構によるロックを解除するロック解除部と、を備え、
前記ロック解除部は、Ｘ線照射面の反対側の面に形成され、互いに異なる方向の操作によって前記ロック機構によるロックを解除する２つの操作部を有していることを特徴とするＸ線撮影装置。
【請求項２】
前記ロック機構によるロックを解除する操作は、スライド操作または回転操作であることを特徴とする請求項１に記載のＸ線撮影装置。
【請求項３】
前記操作部は、前記ロック機構によるロックが解除される方向と異なる方向の操作によって、前記ロック機構によるロックが解除される方向への操作が可能であることを特徴とする請求項１に記載のＸ線撮影装置。
【請求項４】
前記Ｘ線センサを収容する筐体を有し、
前記操作部の少なくとも一部は、前記ロック機構によるロックが解除される方向と異なる方向の操作によって、前記筐体の表面から突出することを特徴とする請求項３に記載のＸ線撮影装置。
【請求項５】
前記ロック機構によるロックが解除される方向への操作は、スライド操作であり、
前記ロック機構によるロックが解除される方向と異なる方向の操作は、回転操作であることを特徴とする請求項３または４に記載のＸ線撮影装置。
【請求項６】
前記バッテリホルダには、前記バッテリと電気的に接続する接続部に近接して配置されると共に前記バッテリが保持されたときに圧縮されるダンパ部材を有することを特徴とする請求項１乃至５の何れか１項に記載のＸ線撮影装置。
【請求項７】
前記バッテリホルダには、保持されたバッテリを所定方向に付勢するポップアップ機構を有することを特徴とする請求項１乃至６の何れか１項に記載のＸ線撮影装置。
【請求項８】
前記ポップアップ機構は、前記バッテリホルダに軸支された押上部材を有していることを特徴とする請求項７に記載のＸ線撮影装置。
【請求項９】
前記ポップアップ機構は、保持されたバッテリを常に上方に向かって付勢することを特徴とする請求項７または８に記載のＸ線撮影装置。
【請求項１０】
前記ポップアップ機構は、保持されたバッテリを前記バッテリが保持される方向と反対の方向に付勢することを特徴とする請求項７乃至９の何れか１項に記載のＸ線撮影装置。
【請求項１１】
前記バッテリは、長方形に形成され、
前記ポップアップ機構は、前記バッテリの短辺を付勢することを特徴とする請求項７乃至１０の何れか１項に記載のＸ線撮影装置。
【請求項１２】
該Ｘ線撮影装置の駆動状態に応じて、前記操作部の動作を規制する規制部材を有することを特徴とする請求項１乃至１１の何れか１項に記載のＸ線撮影装置。
【請求項１３】
前記バッテリには、前記ロック機構と係合可能な掘り込み部が形成され、前記掘り込み部には、鉛直方向に沿って形成された着脱用溝と、これらの着脱用溝から直交して、互いに近接する水平方向に向かって形成されたロック用溝とを有していることを特徴とする請求項１乃至１２の何れか１項に記載のＸ線撮影装置。
【請求項１４】
前記バッテリが前記バッテリホルダ内に押し込まれ、２つのロック部材がそれぞれ対応する前記掘り込み部の前記着脱用溝内を通過し、前記バッテリが前記バッテリホルダ内に保持されることを特徴とする請求項１３に記載のＸ線撮影装置。
【請求項１５】
Ｘ線を画像信号に変換するＸ線センサと、
Ｘ線照射面の反対側の面に形成され、前記Ｘ線センサに電力を供給するバッテリを着脱自在に保持するバッテリホルダと、
前記バッテリが前記バッテリホルダに保持された状態でロックするロック機構と、
前記ロック機構によるロックを解除するロック解除部と、を備え、
前記ロック解除部は、Ｘ線照射面の反対側の面に形成され、互いに異なる方向の操作によって前記ロック機構によるロックを解除する２つの操作部を有し、
前記バッテリホルダの内側面には、保持されたバッテリを所定方向に付勢するポップアップ機構を有することを特徴とするＸ線撮影装置。
【請求項１６】
前記バッテリは、長方形に形成され、
前記ポップアップ機構は、前記バッテリの短辺を付勢することを特徴とする請求項１５に記載のＸ線撮影装置。
【請求項１７】
前記バッテリホルダは、前記Ｘ線センサを収容する筐体の中央から偏倚した位置であって、前記筐体の外側面よりも内側に配置されていることを特徴とする請求項１乃至１６の何れか１項に記載のＸ線撮影装置。
【発明の詳細な説明】
【技術分野】
【０００１】
本発明は、着脱可能なバッテリを搭載したＸ線撮影装置に関するものである。
【背景技術】
【０００２】
被写体にＸ線を照射し、被写体を透過したＸ線の強度分布を検出して被写体のＸ線画像を得るＸ線撮影が、医療分野・産業分野で広く行われている。Ｘ線画像を得る方式は、Ｘ線にセンシティブな希土類蛍光体が発する可視光を捕捉した感光フィルムを化学的に現像・可視化するフィルム・スクリーン法に始まった。その後、技術革新により新たな方式が生み出されていく。その中で、半導体プロセス技術を応用した、微小な光電変換素子とスイッチング素子からなる画素を格子状に配置した平面センサを用いた撮影装置（ＦＰＤ；Ｆｌａｔ  Ｐａｎｅｌ  Ｄｅｔｅｃｔｏｒ）がある。この装置の利点は、従来の感光性フィルムに比べ非常に広いダイナミックレンジを有するためＸ線露光量が変動しても安定したＸ線画像が得られること、化学処理が不要なためＸ線画像を即時に得られることにある。
【０００３】
一方、Ｘ線撮影装置を形態でみると、一般撮影室など所定の場所に設置される据置型と、自由に持ち運べる可搬型に分類される。近年では、可搬型のＸ線撮影装置（以下「電子カセッテ」、或いは、略して「カセッテ」と呼ぶ場合がある）のニーズが高まっている。
従来の電子カセッテは、制御部が外部からの給電を目的とするケーブルと電気的に接続されている。したがって、ケーブルの処理が煩雑で電子カセッテの取り回しに支障を来たす上、長さが余ったケーブルが邪魔になってしまう。また、手術室などクリーンな（滅菌された）環境では、ケーブルを含めた撮影系が床面などオープンな（滅菌されていない）エリアに触れることが禁忌される。
【０００４】
そこで、近年では給電ケーブルを廃しバッテリを内蔵したワイアレスカセッテが登場し、Ｘ線撮影における自由度を飛躍的に高めることが期待されている。その際、充電や新旧品の交換のためのバッテリ着脱が必要であるが、Ｘ線画像取得時や制御部への画像転送時などカセッテの駆動を停止できないタイミングではバッテリ着脱が行われないよう制限する必要がある。このような技術は特許文献１および２にて開示されている。
【先行技術文献】
【特許文献】
【０００５】
【特許文献１】特開２００７−３３３３８０号公報
【特許文献２】特開２００９−５３６６１号公報
【発明の概要】
【発明が解決しようとする課題】
【０００６】
しかしながら、ワイアレスカセッテは持ち運んで使用されるものであることから、通常使用で想定される振動や落下などの衝撃が加わったり、被験者とベッドの隙間に抜差しされたりしてもバッテリが確実に保持されていることが必要不可欠である。一方、バッテリ着脱頻度を考慮すると、ロック機構は特殊な工具を必要とせず、操作者が比較的容易に操作できることも、ワイアレスカセッテ使用感向上の上で重要である。
【０００７】
本発明は、このような問題点に鑑みてなされたものであって、バッテリが不用意に脱落しないよう安定して保持しつつ、適切なタイミングに比較的容易にロックを解除できるＸ線撮影装置を提供することを目的とする。
【課題を解決するための手段】
【０００８】
本発明のＸ線撮影装置は、Ｘ線を画像信号に変換するＸ線センサと、Ｘ線照射面の反対側の面に形成され、前記Ｘ線センサに電力を供給するバッテリを着脱自在に保持するバッテリホルダと、前記バッテリが前記バッテリホルダに保持された状態でロックするロック機構と、前記ロック機構によるロックを解除するロック解除部と、を備え、前記ロック解除部は、Ｘ線照射面の反対側の面に形成され、互いに異なる方向の操作によって前記ロック機構によるロックを解除する２つの操作部を有していることを特徴とする。
【発明の効果】
【０００９】
本発明によれば、バッテリが不用意に脱落しないよう安定して保持しつつ、適切なタイミングで比較的容易にロックを解除できる。
【図面の簡単な説明】
【００１０】
【図１】本実施形態に係るＸ線撮影装置の構成を示す図である。
【図２】第１の実施形態のバッテリ未装着時のＸ線撮影装置の構成を示す図である。
【図３】バッテリ未装着時のＸ線撮影装置の断面図である。
【図４】バッテリの構成を示す斜視図である。
【図５】バッテリ装着時のＸ線撮影装置の構成を示す図である。
【図６】バッテリのロック時のＸ線撮影装置の断面図である。
【図７】バッテリのロック時のＸ線撮影装置の断面図である。
【図８】バッテリのロックを解除したときのＸ線撮影装置の断面図である。
【図９】バッテリのロックを解除したときのＸ線撮影装置の断面図である。
【図１０】バッテリロック部材の移動を規制するＸ線撮影装置の構成を示す図である。
【図１１】第２の実施形態のバッテリ装着時のＸ線撮影装置の構成を示す図である。
【図１２】バッテリのロック時のＸ線撮影装置の断面図である。
【図１３】第３の実施形態のバッテリ未装着時のＸ線撮影装置の構成を示す図である。
【図１４】バッテリのロック時のＸ線撮影装置の断面図である。
【図１５】バッテリロック操作つまみの動作を示す断面図である。
【発明を実施するための形態】
【００１１】
以下、本発明の実施形態について添付図を参照して詳細に説明する。
図１は、第１乃至第３の実施形態に係るＸ線撮影装置のうち共通する構成を示した模式図である。Ｘ線撮影装置２００は、筐体１１にＸ線センサ１２、駆動制御部１３、メモリ１４およびバッテリホルダ１５が収容されている。充電済のバッテリ１００をバッテリホルダ１５に装着することで、バッテリ１００はＸ線撮影装置２００に電気的に接続され、ホルダ側接続部１７を介してＸ線センサ１２、駆動制御部１３およびメモリ１４に電力を供給する。なお、図１では、バッテリ１００をホルダ側接続部１７に接続させる方向を矢印Ａで示している。
【００１２】
（第１の実施形態）
次に、第１の実施形態に係るＸ線撮影装置２０１について図２〜図９を参照して説明する。
図２はバッテリホルダからバッテリを取り外した状態のＸ線撮影装置を示す平面図である。図２はＸ線センサ１２が配置されている面の反対側の面を示している。図３は図２に示すＩ−Ｉ線を矢印方向からみた断面図である。
バッテリホルダ１５は、ホルダ側接続部１７が突設されている内側面１５ａのうちホルダ側接続部１７の周囲に亘って、ダンパ部材２０が設けられている。ダンパ部材２０は例えば薄板状のゴムであって内側面１５ａに貼付されている。また、内側面１５ａには、ホルダ側接続部１７を挟んだ両側に孔状の被挿入ガイド１６が形成されている。
【００１３】
一方、内側面１５ａと対向する内側面１５ｂには、バッテリホルダ１５内に向かって突出するバッテリロック部材１８が設けられている。バッテリロック部材１８はバッテリホルダ１５の幅方向（図２に示す左右方向）に離間して２つ設けられている。また、各バッテリロック部材１８には、操作者が操作可能な操作部材としてのバッテリロック操作つまみ１９がバッテリホルダ１５の上面に露出するように形成されている。２つのバッテリロック部材１８は、図２に示す状態から互いに近接する方向に所定距離、移動可能に構成されている。
【００１４】
また、内側面１５ａと隣り合う内側面１５ｃおよび内側面１５ｄには、その近接した位置にそれぞれポップアップ機構２１が設けられている。ポップアップ機構２１は装着されたバッテリ１００を常に上方に向かって付勢する機能を有している。
【００１５】
図４（ａ）はバッテリを上面から見た斜視図であり、図４（ｂ）はバッテリを下面から見た斜視図である。なお、図４（ａ）および図４（ｂ）には、バッテリ１００をホルダ側接続部１７に接続させる方向を矢印Ａで示している。
バッテリ１００の各側面のうち、バッテリホルダ１５の内側面１５ａと対向する側面１００ａには、バッテリホルダ１５のホルダ側接続部１７と接続可能なバッテリ端子１０１が設けられている。また、側面１００ａのバッテリ端子１０１を挟んだ両側には、被挿入ガイド１６に挿入可能な挿入ガイド１０２が突設されている。挿入ガイド１０２はバッテリ１００の挿入向きを所定の向きに定めることができる。また、挿入ガイド１０２と被挿入ガイド１６とが嵌合することによって、バッテリホルダ１５に装着したときのバッテリ１００のガタツキを抑え、ホルダ側接続部１７およびバッテリ端子１０１に無理な荷重がかからないようになっている。
【００１６】
一方、側面１００ａと相反する側面１００ｂには、バッテリロック部材１８と係合可能なロック用掘り込み部１０４が形成されている。ロック用掘り込み部１０４は、バッテリロック部材１８に対応させて、側面１００ｂの幅方向（図２に示す左右方向に）に離間して２つ形成されている。また、各ロック用掘り込み部１０４には、鉛直方向に沿って形成された着脱用溝１０４ａと、これらの着脱用溝１０４ａから直交して、互いに近接する水平方向に向かって形成されたロック用溝１０４ｂとを有している。
【００１７】
また、側面１００ａと隣り合う側面１００ｃおよび側面１００ｄには、バッテリホルダ１５のポップアップ機構２１に対応させた位置に、ポップアップ機構２１と係合する受け部１０３がそれぞれ形成されている。
【００１８】
次に、バッテリ１００をバッテリホルダ１５に装着する操作について説明する。
まず、バッテリ１００をバッテリホルダ１５に装着する前に、操作者は図２に示すように、２つのバッテリロック部材１８を離間する方向に移動させておく。
次に、操作者は上方から矢印Ａ方向に沿ってバッテリ１００をバッテリホルダ１５内に挿入する。このとき、被挿入ガイド１６が挿入ガイド１０２を案内するので、操作者はバッテリ１００をバッテリホルダ１５内に正確に位置合わせすることができる。さらに、操作者が上方からバッテリ１００をバッテリホルダ１５内に押し込むことで、２つのバッテリロック部材１８がそれぞれ対応するロック用掘り込み部１０４の着脱用溝１０４ａ内を通過し、バッテリ１００がバッテリホルダ１５内に装着される。
バッテリ１００がバッテリホルダ１５内に装着された状態では、バッテリ端子１０１とホルダ側接続部１７とが接続され、受け部１０３にポップアップ機構２１が係合する。
【００１９】
図５は、バッテリ１００をバッテリホルダ１５にロックした状態を示すＸ線撮影装置の平面図である。また、図６は図５のＩＩ−ＩＩ線を矢印方向から見た断面図である。図７は、図５のＩＩＩ−ＩＩＩ線を矢印方向から見た断面図である。
バッテリ１００をバッテリホルダ１５内に装着した後、図５に示すように、操作者は２つのバッテリロック操作つまみ１９を互いに近接する方向に移動させる。このとき、図６に示すように、バッテリロック部材１８がそれぞれ対応するロック用掘り込み部１０４のロック用溝１０４ｂ内に進入することでバッテリ１００が上方に移動できない状態になり、バッテリ１００がバッテリホルダ１５内にロックされる。
【００２０】
また、バッテリ１００がバッテリホルダ１５内にロックされた状態では、バッテリ１００によって圧縮されることで生じるダンパ部材２０の復元力が、バッテリ１００をバッテリロック部材１８が設けられた内側面１５ｂに向かって付勢する。また、図７に示すように、ポップアップ機構２１はバッテリホルダ１５に軸支された押上部材２１ａを有している。押上部材２１ａの先端は図示しないバネによって上方に回動するように付勢されている。したがって、バッテリ１００がバッテリホルダ１５内にロックされた状態では、ポップアップ機構２１がバッテリ１００によって押圧されることで生じるポップアップ機構２１の復元力が、受け部１０３を介してバッテリ１００を上方に向かって付勢する。なお、ポップアップ機構２１は、バッテリ１００を強度的に優れた稜線部を介して付勢しているため、バッテリ１００本体に曲げが生じ難い。
このように、バッテリ１００は異なる２方向の付勢力によってバッテリホルダ１５内で強固に保持されることから、振動や衝撃に対する耐性が向上する。
なお、ダンパ部材２０にシール性を有する材質を用いる場合、バッテリ装着時のバッテリ端子１０１周囲の密閉性を確保することができる。
【００２１】
次に、バッテリ１００をバッテリホルダ１５から取り外す操作について説明する。
バッテリ１００を取り外す場合、操作者は２つのバッテリロック操作つまみ１９を互いに離間する方向に移動させる。このとき、各バッテリロック部材１８はロック用溝１０４ｂから着脱用溝１０４ａに移動する。したがって、バッテリ１００はバッテリホルダ１５に対してロックが解除され、鉛直方向への移動が許容される。ここで、ポップアップ機構２１は受け部１０３を介してバッテリ１００を上方に向かって付勢していることから、バッテリ１００はロックが解除されると同時にバッテリホルダ１５に対して浮き上がる。
図８および図９は、それぞれ図６および図７に示すバッテリのロック状態からロックが解除されたときの状態を示す断面図である。
ここでは、上述したバッテリロック部材１８、バッテリロック操作つまみ１９およびバッテリ１００のロック用掘り込み部１０４が、ロック機構およびロック解除機構を構成する。
【００２２】
このように、バッテリ１００がバッテリホルダ１５内で強固に保持されていても、操作者によるバッテリロック操作つまみ１９を移動させるだけの操作で簡単にロックを解除できると共にバッテリ１００を容易にバッテリホルダ１５から取り出すことができる。
一方、操作者はロックを解除するには、左右２つのバッテリロック操作つまみ１９を互いに離間する方向に移動させる操作が必要であるため、操作者の意図しないロック解除が防止される。
【００２３】
ところで、Ｘ線を画像信号に変換するＸ線センサ１２の正常駆動状態は、例えば以下の６つに分類される。
（１）通電していない状態（スリープ状態）
（２）通電状態であって駆動制御部１３からの信号を待機している状態（撮影準備前）
（３）撮影可能状態へ遷移中の状態（撮影準備中）
（４）撮影可能であるがＸ線が照射されていない状態
（５）Ｘ線が照射され、画像を取得している状態
（６）画像取得後、画像信号をメモリ１４に記憶させている状態、である。
【００２４】
このうち（５）および（６）の状態においてバッテリ１００からＸ線センサ１２、駆動制御部１３およびメモリ１４への通電が遮断されると画像が欠損し再撮影が必要となるため、被験者のＸ線曝射量の増加に直結する。そこで、上述したＸ線撮影装置にバッテリ１００のロックの解除を規制する機構を追加することができる。
【００２５】
具体的には、図１０に示すように、Ｘ線撮影装置２０１はバッテリロック部材１８がバッテリ１００のロック解除のために移動する経路に対して矢印Ｂ方向に進出可能な規制部材２７を備えている。規制部材２７は、駆動制御部１３の指示に応じて可動するアクチュエータ２８に結合されている。したがって、駆動制御部１３は、Ｘ線センサ１２、駆動制御部１３およびメモリ１４への通電が遮断されないようにアクチュエータ２８を介して規制部材２７を進出させて、操作者によるバッテリロック操作つまみ１９の操作を規制する。
具体的には、一連の撮影動作に耐えうる残量のバッテリが装着されると直ちに駆動制御部１３およびメモリ１４への通電が行われる。駆動制御部１３はそれを検知して、アクチュエータ２８を介して規制部材２７を突出させる。
また、駆動制御部１３は、Ｘ線センサ１２、駆動制御部１３およびメモリ１４への通電が遮断されてもよい状態では、アクチュエータ２８を介して規制部材２７を退出させて、操作者によるバッテリロック操作つまみ１９の操作を可能にする。このように構成することで、操作者の誤操作を防止し、再撮影の必要を削減することができる。
尚、バッテリ残量が撮影に必要な量を下回る時は、駆動制御部１３は、メモリ１４への画像格納を完了させると共に新たな撮影準備に入らぬように制御する。そして、アクチュエータ２８を介して規制部材２７を退出させ、操作者によるバッテリロック操作つまみ１９の操作を可能にするよう動作しても良い。
【００２６】
なお、通常、Ｘ線撮影装置中央でＸ線源と中心合わせをする撮影では、被験者がＸ線撮影装置２０１に載るためにＸ線撮影装置２０１に曲げ荷重がかかる。しかしながら、本実施形態では、図２に示すように、バッテリホルダ１５を筐体１１の中央から退避させて配置しているので、バッテリ１００に多軸の凹曲げが生じるのを回避することができる。
また、本実施形態では、左右２つのバッテリロック操作つまみ１９を互いに離間する方向に移動させる操作によって、バッテリ１００のロックが解除される構成についてのみ説明したが、この場合に限られない。例えば、左右２つのバッテリロック操作つまみ１９を互いに近接する方向に移動させる操作によって、バッテリ１００のロックが解除される構成にしてもよい。
【００２７】
（第２の実施形態）
次に、第２の実施形態に係るＸ線撮影装置２０２について図１１および図１２を参照して説明する。
図１１はバッテリホルダにバッテリを装着した状態のＸ線撮影装置を示す平面図である。図１２は図１１に示すＩＶ−ＩＶ線を矢印方向からみた断面図である。なお、第１の実施形態と同様の構成については、同一符号を付してその説明を省略する。
本実施形態のバッテリホルダ１５には、バッテリ１００全体を上方から覆う平板形状のバッテリロック部材２３を着脱自在に備えている。バッテリロック部材２３の一辺の端部には、操作者が操作可能な操作部材としての２つのバッテリロック操作つまみ２４が離間して設けられている。図１２に示すように、各バッテリロック操作つまみ２４の下部には水平方向に突出するロック部２４ａが形成されている。また、各バッテリロック操作つまみ２４は、鉛直軸の回りに回転可能である。各バッテリロック操作つまみ２４を回転操作することで、ロック部２４ａをバッテリロック部材２３から突出させることができる。
図１２に示すように、バッテリロック部材２３の下面にはダンパ部材２２が設けられている。ダンパ部材２２は例えば薄板状のゴムであってバッテリロック部材２３の下面に貼付されている。
【００２８】
次に、バッテリ１００をバッテリホルダ１５に装着する操作について説明する。
まず、バッテリ１００をバッテリホルダ１５に装着する前に、操作者はバッテリロック部材２３をバッテリホルダ１５から取り外し、ロック部２４ａがバッテリロック部材２３から突出しない状態になるようにバッテリロック操作つまみ２４を回転させておく。
次に、操作者はバッテリ１００をバッテリホルダ１５内に挿入する。その後、バッテリロック部材２３をバッテリ１００の上方から覆うようにバッテリホルダ１５に装着する。このとき、操作者はバッテリロック部材２３の辺のうちバッテリロック操作つまみ２４が設けられている辺と相反する辺の端部を、筐体１１とバッテリホルダ１５との間に挿入する。次に、操作者は上方からバッテリ１００をバッテリロック部材２３を介してバッテリホルダ１５内に押し込みながら、２つのバッテリロック操作つまみ２４を回転させる。バッテリロック操作つまみ２４を回転させて、ロック部２４ａを筐体１１とバッテリホルダ１５との間に挿入することで、バッテリ１００はバッテリホルダ１５にロックされる。なお、２つバッテリロック操作つまみ２４は、それぞれ異なる方向に回転させることで、ロック部２４ａがそれぞれ筐体１１とバッテリホルダ１５との間に挿入するように構成されている。
【００２９】
また、バッテリ１００がバッテリホルダ１５内にロックされた状態では、バッテリロック部材２３の下面に貼付したダンパ部材２２がバッテリ１００の外形稜線と略合致して位置している。したがって、バッテリ１００の稜線部とバッテリロック部材２３との間で圧縮されることで生じるダンパ部材２２の復元力が、バッテリ１００を下方に向かって付勢する。また、第１の実施形態と同様に、バッテリホルダ１５の内側面１５ａには、ダンパ部材２０が設けられていることから、バッテリ１００によって圧縮されることで生じるダンパ部材２０の復元力が、バッテリ１００を内側面１５ｂに向かって付勢する。このように、バッテリ１００は異なる２方向の付勢力によってバッテリホルダ１５内で強固に保持されることから、振動や衝撃に対して十分な耐性が向上する。
【００３０】
次に、バッテリ１００をバッテリホルダ１５から取り外す操作について説明する。
バッテリ１００を取り外す場合、操作者は２つのバッテリロック操作つまみ２４を互いに反対方向に（図１１に示す矢印Ｃ方向）に回転させる。このとき、各バッテリロック操作つまみ２４のロック部２４ａが筐体１１とバッテリホルダ１５との間から離脱する。したがって、バッテリロック部材２３をバッテリホルダ１５から取り外すことができるために、バッテリ１００もバッテリホルダ１５に対してロックが解除される。
ここでは、バッテリロック部材２３、バッテリロック操作つまみ２４、ロック部２４ａおよび筐体１１とバッテリホルダ１５との間が、ロック機構およびロック解除機構を構成する。
【００３１】
このように、バッテリ１００がバッテリホルダ１５内で強固に保持されているとしても、操作者によるバッテリロック操作つまみ２４を移動させるだけの操作で簡単にロックを解除できる。
一方、操作者はロックを解除するには、左右２つのバッテリロック操作つまみ２４を互いに異なる回転方向に回転させる操作が必要であるため、操作者の意図しないロック解除が防止される。なお、左右２つのバッテリロック操作つまみ２４を回転させる操作は、バッテリロック操作つまみ２４の回転軸上で固定させた状態で行う操作であるため、第１の実施形態で説明したスライド操作よりも不用意な操作を防止することができる。
【００３２】
なお、本実施形態の構成では、フタ状をしたバッテリロック部材２３の位置や大きさによっては、Ｘ線センサ１２に筐体１１外部の光が届いてしまい正常画像が取得できない虞がある。したがって、図１０で説明したＸ線撮影装置と同様、少なくともＸ線センサ１２が撮影可能状態へ遷移し始めてから画像取得を完了するまでの間、駆動制御部１３がバッテリロック操作つまみ２４の動作を規制部材によって規制するように構成してもよい。バッテリロック操作つまみ２４の動作を規制することで、失敗なく撮影でき、再撮影の必要を削減することができる。
【００３３】
（第３の実施形態）
次に、第３の実施形態に係るＸ線撮影装置２０３について図１３〜図１５を参照して説明する。
図１３はバッテリホルダにバッテリを装着する前のＸ線撮影装置を示す平面図である。図１４は図１３に示すＶ−Ｖ線を矢印方向からみた断面図である。なお、第１の実施形態と同様の構成については、同一符号を付してその説明を省略する。
本実施形態のバッテリホルダ１５には、第１の実施形態で説明したようなバッテリロック部材２５が１つ設けられている。バッテリロック部材２５はバッテリホルダ１５の幅方向（図１３に示す左右方向）の略中央に設けられている。バッテリロック部材２５は、図１３に示す状態から水平方向に所定距離、移動可能に構成されている。また、本実施形態のバッテリロック部材２５は、操作者が操作可能な操作部材としてのバッテリロック操作つまみ２６が回転自在に設けられている。
【００３４】
具体的にバッテリロック操作つまみ２６がバッテリロック部材２５に対して回転する動作について図１５を参照して説明する。図１５（ａ）および図１５（ｂ）は、バッテリロック操作つまみ２６を回転させた前後の状態を示す図である。
図１５（ａ）および図１５（ｂ）に示すように、バッテリロック操作つまみ２６はバッテリロック部材２５に対して回転軸Ｒを中心に軸支されている。図１５（ａ）に示す状態では、バッテリロック操作つまみ２６は、筐体１１の表面Ｆから突出しない状態である。この状態では、操作者はバッテリロック操作つまみ２６を操作して、バッテリロック部材２５をスライドさせることが困難である。
【００３５】
一方、図１５（ｂ）に示すように、バッテリロック操作つまみ２６を回転させて起立させた状態では、バッテリロック操作つまみ２６の一部が筐体１１の表面Ｆから突出している状態である。この状態では、操作者は容易にバッテリロック操作つまみ２６を操作して、バッテリロック部材２５をスライドさせることができる。
したがって、操作者はバッテリ１００を着脱するときに、バッテリロック操作つまみ２６を図１５（ａ）に示す状態から図１５（ｂ）に示す状態のように回転操作をして、バッテリロック部材２５をスライド操作できるようにする。また、操作者はバッテリ１００を着脱する必要がないときには、図１５（ｂ）に示す状態から図１５（ａ）に示す状態のように回転操作して、バッテリロック操作つまみ２６を筐体１１の表面Ｆから突出しない状態にする。
ここでは、上述したバッテリロック部材２５、バッテリロック操作つまみ２６およびバッテリ１００のロック用掘り込み部１０４が、ロック機構およびロック解除機構を構成する。
【００３６】
このように、バッテリ１００を着脱しないような通常の使用状態では、操作者はバッテリロック操作つまみ２６へのアクセスが物理的に困難である。したがって、バッテリ１００のロックを解除するには、操作者はバッテリロック操作つまみ２６が起立するように回転させた上で水平方向に移動させるという、２つの操作が必要であるため、操作者が意図しないロック解除を防止することができる。本実施形態では、第１および第２の実施形態と比べて、比較的簡便な構成にすることができる。
【００３７】
なお、本実施形態では、１つのバッテリロック部材２５を備える場合についてのみ説明したが、この場合に限られず、２つ以上のバッテリロック部材２５を備えてよい。この場合、それぞれのバッテリロック部材２５に操作可能な状態および操作不可能な状態に変化するバッテリロック操作つまみ２６を備えることが好ましい。バッテリロック部材２５を増設することで、バッテリ１００のロックを解除するときの操作数が増加するため、不用意なバッテリ脱落をより確実に防止することができる。
【００３８】
また、本実施形態でも、図１０で説明したＸ線撮影装置と同様、Ｘ線センサ１２、駆動制御部１３およびメモリ１４への通電が遮断させたくない状態では、駆動制御部１３がバッテリロック部材２５のスライドを規制部材によって規制するように構成してもよい。このとき、規制部材はバッテリロック操作つまみ２６の回転動作を規制するようにしてもよい。
【００３９】
以上、本発明を種々の実施形態と共に説明したが、本発明はこれらの実施形態にのみ限定されるものではなく、本発明の範囲内で変更等が可能である。
【符号の説明】
【００４０】
１１：筐体  １２：Ｘ線センサ  １３：駆動制御部  １４：メモリ  １５：バッテリホルダ  １６：被挿入ガイド  １７：ホルダ側接続部  １８：バッテリロック部材  １９：バッテリロック操作つまみ  ２０：ダンパ部材  ２１：ポップアップ機構  ２２：ダンパ部材  ２３：バッテリロック部材  ２４：バッテリロック操作つまみ  ２５：バッテリロック部材  ２６：バッテリロック操作つまみ  ２７：規制部材  １００：バッテリ  １０１：バッテリ端子  １０２：挿入ガイド  １０３：受け部  １０４：ロック用掘り込み部  ２００、２０１、２０２、２０３：Ｘ線撮影装置（電子カセッテ）
【図１】
0005517855.tif 000002
【図２】
0005517855.tif 000003
【図３】
0005517855.tif 000004
【図４】
0005517855.tif 000005
【図５】
0005517855.tif 000006
【図６】
0005517855.tif 000007
【図７】
0005517855.tif 000008
【図８】
0005517855.tif 000009
【図９】
0005517855.tif 000010
【図１０】
0005517855.tif 000011
【図１１】
0005517855.tif 000012
【図１２】
0005517855.tif 000013
【図１３】
0005517855.tif 000014
【図１４】
0005517855.tif 000015
【図１５】
0005517855.tif 000016